(57)【要約】      （修正有）【課題】平衡伝送に適用されるコンタクトモジュールに係り、接触点の高密度化を図る。【解決手段】帯状の基部１１２の両側に沿う櫛歯部１１３，１１４の各歯１１５−１，１１６−１は、長手方向に延在する細長のスリット１１７−１、１１７−２によって、第１の分割歯部１１５−１−１，１１６−１−１と第２の分割歯部１１５−１−２，１１６−１−２と分割してある。両側の第１の分割歯部に亘って第１の配線パターン１３１−１が、両側の第２の分割歯部に亘って第２の配線パターン１３１−２が、同じ長さＬ１で且つ平行に且つ端の位置をずらして形成してある。第１の分割歯部１１５−１−１に第１の接点部１３３−１−１が、第２の分割歯部１１５−１−２に第２の接点部１３３−１−２が、歯の長手方向上、寸法Ａずれて異なる位置に形成してある。【選択図】          図３
2005011627.tif 000002
【特許請求の範囲】
【請求項１】
基部と該基部の両側に沿って複数の歯が並んでいる櫛歯部よりなる形状を有するベースシートに、線状の配線パターンが一側の櫛歯部の歯より反対側の櫛歯部の歯に亘って形成されており、各櫛歯部の歯に凸形状の接点部が形成してある構成のコンタクトモジュールであって、
各櫛歯部の各歯毎に、複数本の配線パターンが、その両端の接点部の間が同じ長さを有して、且つ、平行に、且つ、端部が歯の長手方向上ずれた状態で形成してあり、
各櫛歯部の各歯は、各歯毎の配線パターンの数に対応した数の接点部が、歯の長手方向上、異なる位置に位置して形成してある構成としたことを特徴とするコンタクトモジュール。
【請求項２】
請求項１に記載のコンタクトモジュールにおいて、
各櫛歯部の各歯は、隣り合う配線パターンの間にスリットを有し、該スリットによって分割された分割歯部を有し、各分割歯部毎に上記配線パターンが形成されており、且つ、上記接点部が各分割歯部毎に別々に形成してある構成としたことを特徴とするコンタクトモジュール。
【請求項３】
基部と該基部の両側に沿って複数の歯が並んでいる櫛歯部よりなる形状を有するベースシートに、線状の配線パターンが一側の櫛歯部の歯より反対側の櫛歯部の歯に亘って形成されており、各櫛歯部の歯に凸形状の接点部が形成してあり、一側の櫛歯部の歯が第１のプリント基板上のパッドに接触され、反対側の櫛歯部の歯が第２のプリント基板上のパッドに接触されて使用される構成のコンタクトモジュールであって、
各櫛歯部の各歯は、長手方向に延在する細長のスリットによって、第１の分割歯部と第２の分割歯部と分割してあり、
両側の第１の分割歯部に亘って第１の配線パターンが、両側の第２の分割歯部に亘って第２の配線パターンが、同じ長さで且つ平行に且つ端の位置をずらして形成してあり、
且つ、上記第１の分割歯部に第１の接点部が、上記第２の分割歯部に第２の接点部が、上記歯の長手方向上、異なる位置に位置して形成してあり、櫛歯部全体をみると該第１の接点部と該第２の接点部とが千鳥状に並んでいる構成としたことを特徴とするコンタクトモジュール。
【請求項４】
請求項１乃至請求項３のうち何れか一項に記載のコンタクトモジュールが２つ、そのベースシートの基部が逆Ｖ字形状をなすようにされ、該基部の上側の櫛歯部が垂直の向きとされて対向し、該基部の下側の櫛歯部が水平の向きとされて組み込んである構成としたことを特徴とするコネクタ装置。
【発明の詳細な説明】
【０００１】
【発明の属する技術分野】
本発明はコンタクトモジュール及びこれを備えたコネクタ装置に係り、特にドータボードのマザーボードへの接続に利用されるコンタクトモジュール及びこれを備えたコネクタ装置に関する。
【０００２】
コンピュータの内部、周辺機器の内部、及びコンピュータと周辺機器との間でデータを伝送する方式として、平衡伝送方式が多く採用されつつある。平衡伝送方式は、データごとに対をなす二本の電線を使用して、伝送すべき＋信号とこの＋信号とは大きさが等しく逆向きの−信号とを同時に伝送し、＋信号と−信号とのレベルの差を情報として認識する方式であり、通常の伝送方式に比べてノイズの影響を受けにくいという利点を有している。平衡伝送方式が正常に動作するためには、プリント回路基板及びケーブルにおいては勿論、プリント回路基板とプリント回路基板とを接続するコネクタ装置の部分、プリント回路基板とケーブルとを接続するコネクタ装置の部分においても、対をなす＋信号が伝送されるラインと−信号が伝送されるラインとが平行であること及び同じ長さであること、及び隣り合う対のラインの間がグランド電位とされてシールドされていることが必要である。
【０００３】
また、最近では伝送するデータの種類が増える傾向にあり、コンタクトモジュール及びコネクタ装置においては、隣り合う接触点の距離を短くして、接触点の密度を高めることが要求されている。
【０００４】
【従来の技術】
図１（Ａ）、（Ｂ）は従来のコンタクトモジュール１０を示す。Ｘ１−Ｘ２はコンタクトモジュール１０の幅方向、Ｙ１−Ｙ２はコンタクトモジュール１０の長手方向である。図１（Ｃ）はコンタクトモジュール１０がドータボード４０とマザーボード５０との間の接続に利用された状態を示す。ドータボード４０とマザーボード５０との間には、平衡信号が伝送される。コンタクトモジュール１０は、配線パターン及び接点部を多数有する部品であり、平衡信号が伝送される。
【０００５】
１１はＳＵＳ材であって厚さが数１０μｍであるベースシートであり、帯状の基部１２と、基部１２の両側に沿う櫛歯部１３，１４とよりなる。櫛歯部１３，１４は、夫々複数の歯１５，１６が並んでいる構造である。
【０００６】
コンタクトモジュール１０は、図１（Ｂ）に併せて示すように、上記のベースシート１１の一面１１ａに絶縁膜としてのポリイミド樹脂膜２０が形成してあり、このポリイミド樹脂膜２０上にＡｕの直線状の配線パターン２１が一側の櫛歯部１３の歯１５より基部１２を横切って反対側の櫛歯部１４の歯１６にまで多数本形成してあり、各配線パターン２１の両端側に凸形状の接点部２２，２３が形成してある構成である。
【０００７】
配線パターン２１−１は＋信号が伝送されるパターン、この隣の配線パターン２１−２は−信号が伝送されるパターン、この配線パターン２１−３はグランドパターンであり、これが繰り返されている。
【０００８】
接点部２２はコンタクトモジュール１０の長手方向に直線的に並んでいる。接点部２３も同じくコンタクトモジュール１０の長手方向に直線的に並んでいる。接点部２２のピッチ及び接点部２３のピッチはｐ１である。
【０００９】
コネクタ装置３０は、図１（Ｃ）に示すようにコンタクトモジュール１０が斜めに配置されて組み込んである構成である。
【００１０】
マザーボード５０は、パッド５１が一列に並んでおり、各パッド５１から配線パターン５２が延びている構成である。コネクタ装置３０はマザーボード５０上に実装してあり、接点部２３はパッド５１と半田付けされている。
【００１１】
ドータボード４０はその下縁に沿ってパッド４１が一列に並んでおり、各パッド４１から配線パターン４２が延びている構成である。ドータボード４０は垂直の姿勢で下縁側をコネクタ装置３０に差し込まれて、マザーボード５０に対して直角の状態で、コネクタ装置３０に接続されている。歯１５の有する弾性力によって、接点部２２がパッド４１に押し当っており、接点部２２とパッド４１とが電気的に接続されている。
【００１２】
＋信号はパターン５２−１、配線パターン２１−１を経てパターン４１−１に伝送され、−信号はパターン５２−２、配線パターン２１−２を経てパターン４１−２に伝送される。
【００１３】
【特許文献】
特開２００３−１４２１８３号公報（図４）
【００１４】
【発明が解決しようとする課題】
接点部２２及び接点部２３は共にコンタクトモジュール１０の長手方向に直線的に並んでいるため、接点部２２、２３のピッチｐ１を狭くするには限度があり、接触点の密度を高めることが難しかった。
【００１５】
そこで、本発明は上記課題を解決したコンタクトモジュール及びこれを備えたコネクタ装置を提供することを目的とする。
【００１６】
【課題を解決するための手段】
請求項１の発明は、基部と該基部の両側に沿って複数の歯が並んでいる櫛歯部よりなる形状を有するベースシートに、線状の配線パターンが一側の櫛歯部の歯より反対側の櫛歯部の歯に亘って形成されており、各櫛歯部の歯に凸形状の接点部が形成してある構成のコンタクトモジュールであって、
各櫛歯部の各歯毎に、複数本の配線パターンが、その両端の接点部の間が同じ長さを有して、且つ、平行に、且つ、端部が歯の長手方向上ずれた状態で形成してあり、
各櫛歯部の各歯は、各歯毎の配線パターンの数に対応した数の接点部が、歯の長手方向上、異なる位置に位置して形成してある構成としたものである。
【００１７】
請求項２の発明は、請求項１に記載のコンタクトモジュールにおいて、
各櫛歯部の各歯は、隣り合う配線パターンの間にスリットを有し、該スリットによって分割された分割歯部を有し、各分割歯部毎に上記配線パターンが形成されており、且つ、上記接点部が各分割歯部毎に別々に形成してある構成としたものである。
【００１８】
櫛歯部についてみると、接点部が千鳥状に並ぶことになる。
【００１９】
請求項３の発明は、基部と該基部の両側に沿って複数の歯が並んでいる櫛歯部よりなる形状を有するベースシートに、線状の配線パターンが一側の櫛歯部の歯より反対側の櫛歯部の歯に亘って形成されており、各櫛歯部の歯に凸形状の接点部が形成してあり、一側の櫛歯部の歯が第１のプリント基板上のパッドに接触され、反対側の櫛歯部の歯が第２のプリント基板上のパッドに接触されて使用される構成のコンタクトモジュールであって、
各櫛歯部の各歯は、長手方向に延在する細長のスリットによって、第１の分割歯部と第２の分割歯部と分割してあり、
両側の第１の分割歯部に亘って第１の配線パターンが、両側の第２の分割歯部に亘って第２の配線パターンが、同じ長さで且つ平行に且つ端の位置をずらして形成してあり、
且つ、上記第１の分割歯部に第１の接点部が、上記第２の分割歯部に第２の接点部が、上記歯の長手方向上、異なる位置に位置して形成してあり、櫛歯部全体をみると該第１の接点部と該第２の接点部とが千鳥状に並んでいる構成としたものである。
【００２０】
請求項４の発明は、請求項１乃至請求項３のうち何れか一項に記載のコンタクトモジュールが２つ、そのベースシートの基部が逆Ｖ字形状をなすようにされ、該基部の上側の櫛歯部が垂直の向きとされて対向し、該基部の下側の櫛歯部が水平の向きとされて組み込んである構成としたものである。
【００２１】
【発明の実施の形態】
図２（Ａ）、（Ｂ）は本発明の一実施例になるコンタクトモジュール１１０を示す。Ｘ１−Ｘ２はコンタクトモジュール１１０の幅方向、Ｙ１−Ｙ２はコンタクトモジュール１１０の長手方向である。図５はコンタクトモジュール１１０がドータボード１４０とマザーボード１５０との間の接続に利用された状態を示す。ドータボード１４０とマザーボード１５０との間には、平衡信号が伝送される。コンタクトモジュール１１０は、配線パターン及び接点部を多数有する部品であり、平衡信号が伝送される。
【００２２】
図２（Ａ）、（Ｂ）及び図３に示すように、１１１はベースシートであり、厚さが数１０μｍであるＳＵＳ材である。ベースシート１１１は、帯状の基部１１２と、この基部１１２の両側に沿う櫛歯部１１３，１１４とよりなる。図４に示すように、櫛歯部１１３，１１４は基部１１２に対して折り曲げられており、ベースシート１１１はＹ方向から見ると略山形となっている。図示の便宜上、一方の櫛歯部１１４については、折り曲げない状態で示す。櫛歯部１１３，１１４は、夫々Ｘ１−Ｘ２方向に長い複数の歯１１５，１１６がＹ１−Ｙ２方向に密に並んでいる構造である。ＳＵＳ材に代えてＣｕ材でもよい。歯１１５，１１６は所望のばね性を有する。なお、歯の符号は、順番を特定しないで一般に示す場合には、添え字を付さない符号を使用し、順番を特定する場合には、添え字−１、−２等を付して示す。
【００２３】
図３は隣り合う歯１１５−１，１１６−１、１１５−２，１１６−２を離して示す。図３に示すように、各歯１１５−１，１１６−１、１１５−２，１１６−２には、その中央に、基部１１２側から先端の近くまでＸ１−Ｘ２方向に長いスリット１１７−１、１１８−１、１１７−２、１１８−２が形成してあり、第１の分割歯部１１５−１−１，１１６−１−１、１１５−２−１，１１６−２−１と、第２の分割歯部１１５−１−２，１１６−１−２、１１５−２−２，１１６−２−２とに分けられている。
【００２４】
コンタクトモジュール１１０は、図２（Ｂ）に併せて示すように、上記のベースシート１１１の一面１１１ａに絶縁膜としてのポリイミド樹脂膜１３０が形成してあり、このポリイミド樹脂膜１３０上にＡｕの直線状の配線パターン１３１、１３２が、一つの歯１１５，１１６について２本づつ、一側の櫛歯部１１３の歯１１５より基部１１２を横切って反対側の櫛歯部１１４の歯１１６にまで形成してあり、且つ各歯１１５，１１６について配線パターンの数に対応する２つの接点部１３３−１−１、１３３−１−２、１３４−１−１、１３４−１−２がＸ１−Ｘ２方向に位置をずらして凸形状に形成してある構成である。ポリイミド樹脂膜１３０に代えて、ポリエチレンテレフタレート樹脂膜、エポキシ樹脂膜でもよい。配線パターン１３１、１３２は、実際には、バリア層、めっきベース層等が積層してある複雑な構造であるが、本明細書では、説明の便宜上、単純な構造としてある。
【００２５】
歯１１５−１，１１６−１についてみると、配線パターン１３１−１は、基部１１２を横切って、第１の分割歯部１１５−１−１と第１の分割歯部１１６−１−１との間に延在している。配線パターン１３１−２は、基部１１２を横切って、第２の分割歯部１１５−１−２と第２の分割歯部１１６−１−２との間に延在している。歯１１５−２，１１６−２についてみると、配線パターン１３１−３は、基部１１２を横切って、第１の分割歯部１１５−２−１と第１の分割歯部１１６−２−１との間に延在している。配線パターン１３１−４は、基部１１２を横切って、第２の分割歯部１１５−２−２と第２の分割歯部１１６−２−２との間に延在している。
【００２６】
歯１１５−１，１１６−１の間に形成してある配線パターン１３１−１、１３１−２についてみると、同じ長さＬ１であり且つ平行であり、且つ配線パターン１３１−１はＸ２方向にずれており、配線パターン１３１−２はＸ１方向にずれており、端の間にはΔＬのずれがある。歯１１５−２，１１６−２の間に形成してある配線パターン１３１−３、１３１−４も、上記の配線パターン１３１−１、１３１−２と同じく、同じ長さＬ１であり、配線パターン１３１−３はＸ２方向にずれており、配線パターン１３１−４はＸ１方向にずれており、端の間にはΔＬのずれがある。
【００２７】
歯１１５−１についてみると、第１の分割歯部１１５−２−１に凸形状の第１の接点部１３３−１−１が形成してあり、第２の分割歯部１１５−２−２に凸形状の第２の接点部１３３−１−２が形成してある。第１の接点部１３３−１−１は配線パターン１３１−１の端の部分に、第２の接点部１３３−１−２は配線パターン１３１−２の端の部分に夫々形成してあり、第１の接点部１３３−１−１と第２の接点部１３３−１−２とは、Ｘ１−Ｘ２方向上、距離Ａずれている。距離Ａはマザーボード１５０及びドータボード１４０上のパッドの並びを千鳥状とするのに十分な寸法であり、上記ΔＬに対応する長さである。第２の接点部１３３−１−２は、配線パターン１３１−１の端よりもＸ１側の位置にあり、第２の接点部１３３−１−２のＹ２側には、配線パターン１３１−１は存在していない。この構成によって、配線パターン１３１−１の端が目的としないパッドに無用に接触することが防止される。
【００２８】
歯１１６−１についてみると、第１の分割歯部１１６−２−１に凸形状の第１の接点部１３４−１−１が、第２の分割歯部１１６−２−２に凸形状の第２の接点部１３４−１−２が、上記の第１、２の接点部１３３−１−１、１３３−１−２と同様に、距離Ａずれて形成してある。
【００２９】
配線パターン１３１−１の両端の接点部１３３−１−１と接点部１３４−１−１との間の長さ、及び、配線パターン１３１−２の両端の接点部１３３−１−２と接点部１３４−１−２との間の長さは、共に、Ｌ２であり、等しい。
【００３０】
歯１１５−２についてみると、第１の分割歯部１１５−２−１に凸形状の第１の接点部１３３−２−１が、第２の分割歯部１１５−２−２に凸形状の第２の接点部１３３−２−２が、前記の第１、２の接点部１３３−１−１、１３３−１−２と同様に、距離Ａずれて形成してある。
【００３１】
歯１１６−２についてみると、第１の分割歯部１１６−２−１に凸形状の第１の接点部１３４−２−１が、第２の分割歯部１１６−２−２に凸形状の第２の接点部１３４−２−２が、前記の第１、２の接点部１３４−１−１、１３４−１−２と同様に、距離Ａずれて形成してある。
【００３２】
第１、２の接点部１３３−１−１、１３３−１−２及び第１、２の接点部１３３−２−１、１３３−２−２は、Ｙ１−Ｙ２方向上千鳥状に並んでいる。同じく、第１、２の接点部１３４−１−１、１３４−１−２及び第１、２の接点部１３４−２−１、１３４−２−２も、Ｙ１−Ｙ２方向上千鳥状に並んでいる。
【００３３】
一つの歯歯１１５−１等に２つの接点部１３３−１−１、１３３−１−２等が形成してあることによって、接点部のピッチｐ２は図１（Ａ）のコンタクトモジュール１０の接点部のピッチｐ１よりも狭い。
【００３４】
ここで、接点部１３３−１−１、１３３−１−２等の並びが千鳥状であることによって、後述するように、マザーボード１５０及びドータボード１４０上のパッドの並びも千鳥状となって高い密度で配置できることになり、接点部とパッドとの接触点の並びも千鳥状となって、接触点が従来のように一直線上に並んでいる配置に比べて、接触点は高い密度で配置できることになる。
【００３５】
配線パターン１３１−１〜１３１−ｎは、順に三本づつ組をなす。即ち、配線パターン１３１−１は＋信号の伝送に使用され、配線パターン１３１−２は上記の＋信号と対をなす−信号の伝送に使用され、配線パターン１３１−３はグランドパターンであり、これが繰り返されている。
【００３６】
配線パターン１３１−１と配線パターン１３１−２とは同じ長さＬであるため、平衡伝送時におけるスキューの発生が抑えられる。また、配線パターン１３１−１〜１３１−ｎは全て同じ長さＬであるため、各配線パターンへの役割の分担は自由となり、例えば、配線パターン１３１−１をグランドパターン、配線パターン１３１−２を＋信号の伝送用、配線パターン１３１−３を−信号の伝送用とすることも可能である。
【００３７】
次に上記構造のコンタクトモジュール１１０を備えたコネクタ装置２００について、図４を参照して説明する。Ｒは右、Ｌは左、Ｕは上、Ｄは下方向である。
【００３８】
図４に示すように、コネクタ装置２００は、直方体形状のハウジング２０１の底面側に断面が台形の支持部材２０２が組み込んであり、ハウジング２０１の上側の凹部内にスライダ部材２０３Ｒ、２０３Ｌとプッシャ２０４Ｒ、２０４Ｌが設けてあり、且つ左右二つのコンタクトモジュール１１０Ｒ、コンタクトモジュール１１０Ｌが組み込んである構成である。スライダ部材２０３Ｒ、２０３ＬはＲ−Ｌ方向にスライド可能である。プッシャ２０４Ｒ、２０４Ｌは上方からＤ方向に押し込まれて、スライダ部材２０３Ｒ、２０３Ｌを互いに接近させる。スライダ部材２０３Ｒ、２０３Ｌは、上端側に相手側の方向に突き出た上端側凸部２０３Ｒａ、２０３Ｌａを有し、中間部に相手側の方向に突き出た中間凸部２０３Ｒｂ、２０３Ｌｂを有する。
【００３９】
コンタクトモジュール１１０Ｒ、１１０Ｌは、基部１１２Ｒ、１１２Ｌを支持部材２０２とハウジング２０１との間に挟まれて逆Ｖ字形状に配置してある。
【００４０】
櫛歯部１１４Ｒの全部の歯１１６ＲはＲ方向、櫛歯部１１４Ｌの全部の歯１１６ＬはＬ方向に曲げてあり、ハウジング２０１の底面に沿っており、第１、２の接点部１３４Ｒ−１−１、１３４Ｒ−１−２、１３４Ｌ−１−１、１３４Ｌ−１−２はＤ方向に突き出ている。
【００４１】
櫛歯部１１３Ｒ、１１３Ｌの全部の歯１１５Ｒ、１１５Ｌは、スライダ部材２０３Ｒとスライダ部材２０３Ｌとの間に位置しており、Ｕ方向に延在している。歯１１５Ｒはスライダ部材２０３Ｒに沿っており、接点部１３３Ｒ−１−１、１３３Ｒ−１−２がＬ方向に突き出ており、上端部１１５Ｒａはスライダ部材２０３Ｒの上端側凸部２０３Ｒａに固定してある。中間凸部２０３Ｒｂが歯１１５Ｒのうち接点部１３３Ｒ−１−１、１３３Ｒ−１−２との間の位置の裏面を支持している。歯１１５Ｌはスライダ部材２０３Ｌに沿っており、接点部１３３Ｌ−１−１、１３３Ｌ−１−２がＲ方向に突き出ており、上端部１１５Ｌａはスライダ部材２０３Ｌの上端側凸部２０３Ｌａに固定してある。中間凸部２０３Ｌｂが歯１１５Ｌのうち接点部１３３Ｌ−１−１、１３３Ｌ−１−２との間の位置の裏面を支持している。
【００４２】
上記のコネクタ装置２００はドータボード１４０をマザーボード１５０に接続するために使用される。
【００４３】
図５に示すように、マザーボード１５０にはパッド１５１−１、１５１−２、１５１−３、１５１−４等が千鳥状に並んで形成してあり、各パッド１５１−１、１５１−２、１５１−３、１５１−４等から配線パターン１５２−１、１５２−２、１５２−３、１５２−４等が延びている。ドータボード１４０はその下縁に沿ってパッド１４１−１、１４１−２、１４１−３、１４１−４等が千鳥状に並んで形成してあり、各パッド１４１−１、１４１−２、１４１−３、１４１−４等から配線パターン１４２−１、１４２−２、１４２−３、１４２−４等が延びている。パッド１５１−１、１５１−２、１４１−１、１４１−２等の並びが千鳥状であるため、図１（Ｃ）に示すように一直線に並んでいる配置に比較して、パッドのピッチは狭く、パッドは高い密度で配置してある。
【００４４】
コネクタ装置２００はマザーボード１５０上に実装してあり、図５に併せて示すように、接点部１３４Ｒ−１−１、１３４Ｒ−１−２、１３４Ｒ−２−１、１３４Ｒ−２−２等は夫々パッド１５１−１、１５１−２、１５１−３、１５１−４等に半田付けされている。
【００４５】
ドータボード１４０は垂直の姿勢で下縁側をコネクタ装置２００に差し込まれて、マザーボード１５０に対して直角の状態で、コネクタ装置２００に接続されている。
【００４６】
プッシャ２０４Ｒ、２０４Ｌが二点鎖線で示すようにＵ方向に位置しておりスライダ部材２０３Ｒ、２０３Ｌの間が拡がっている状態で、ドータボード１４０がスライダ部材２０３Ｒ、２０３Ｌの間に差し込まれ、その後に、プッシャ２０４Ｒ、２０４ＬをＤ方向に押し込む。これによって、スライダ部材２０３Ｒ、２０３Ｌが接近されて、ドータボード１４０は上端側凸部２０３Ｒａ、２０３Ｌａの間に挟まれて固定される。
【００４７】
また、接点部１３３Ｒ−１−１、１３３Ｒ−１−２、１３３Ｒ−２−１、１３３Ｒ−２−２等が夫々パッド１４１−１、１４１−２、１４１−３、１４１−４等に押し当り、接点部１３３Ｒ−１−１等とパッド１４１−１等とが電気的に接続される。
【００４８】
ここで、▲１▼歯１１５Ｒはその基部側と先端側の両端を固定されており、弛むことが制限されているため、且つ、▲２▼第１の接点部１３３Ｒ−２−１は第１の分割歯部１１５−２−１に、第２の接点部１３３Ｒ−２−２は第２の分割歯部１１５−２−２にと分離して形成してあるため、更には、▲３▼中間凸部２０３Ｒｂが第１の接点部１３３Ｒ−２−１と第２の接点部１３３Ｒ−２−２との間を押しているため、第１の接点部１３３Ｒ−２−１はパッド１４１−１に、第２の接点部１３３Ｒ−２−２はパッド１４１−２に夫々強く押し付けられる。
【００４９】
＋信号は、パターン１５２−１、パッド１５１−１、配線パターン１３１Ｒ−１、パッド１４１−１を経てパターン１４２−１に伝送される。これと対をなす−信号は、パターン１５２−２、パッド１５１−２、配線パターン１３１Ｒ−２、パッド１４１−２を経てパターン１４２−２に伝送される。
【００５０】
ここで、配線パターン１３１Ｒ−１、１３１Ｒ−２は、同じ長さであって、且つ平行であるため、対をなす＋−信号は、コネクタ装置２００の部分においても、カップリングを維持しつつ、且つ、スキューを起こさないで伝送される。
【００５１】
歯１１５Ｌの接点部１３３Ｌ−１−１、１３３Ｌ−１−２も、上記の歯１１５Ｒの接点部１３３Ｒ−１−１、１３３Ｒ−１−２と同様にドータボード１４０上の対応するパッドに強く押し付けられて電気的に接続してある。
【００５２】
なお、コンタクトモジュール１１０については、スリット１１７−１、１１８−１等を有しない構成としてもよい。また、各歯１１５−１、１１６−１等毎に３本、４本の配線パターンを形成してもよい。この場合には、各歯１１５−１、１１６−１等毎に３つ或いは４つの接点部が位置をずらして形成される。
【００５３】
また、スリット１１７、１１８を各歯１１５，１１６の先端まで形成した場合には、分割歯部１１５−２−１、１１５−２−２等が歯となって、強度の弱い櫛歯となって取り扱いの際に櫛歯を傷めてしまう危険がある。しかし、本実施例では、スリット１１７、１１８は各歯１１５，１１６の先端までは到っていず、第１の歯部１１５−１の先端部と第２の歯部１１５−２の先端部とは繋がっており、櫛歯は適度の機械的強度を有しており、取り扱いの際に櫛歯を傷める事故は起きない。
【００５４】
また、図５に示すように、第２の接点部１３３Ｒ−２−２のＹ２側には配線パターン１３１Ｒ−１が存在しないため、配線パターン１３１Ｒ−１の端がパッド１４１−２と無用に接触することが確実に防止される。
【００５５】
【発明の効果】
以上説明したように、本発明になるコンタクトモジュール及びコネクタ装置によれば、櫛歯部についてみると接点部が千鳥状に並ぶようになり、これによって、プリント回路基板のパッドを千鳥状に並ぶようにできてパッドのピッチを狭くすることが出来、接触点の密度を高めることが出来る。また、各配線パターンは長さが等しく且つ平行であるため、平衡伝送に適用した場合には、対をなす信号をカップリングを良好に維持しつつ、且つ、スキューを起こさないで伝送させることが出来る。
【図面の簡単な説明】
【図１】従来のコンタクトモジュールを示す図である。
【図２】本発明の一実施例になるコンタクトモジュールを示す図である。
【図３】図２（Ａ）中の隣り合う歯を離した状態で、歯の構造を示す図である。
【図４】図２のコンタクトモジュールを備えたコネクタ装置の断面図である。
【図５】図４中、コンタクトモジュールがマザーボードとドータボードとを接続している状態を示す図である。
【符号の説明】
１１０  コンタクトモジュール
１１１  ベースシート
１１２  基部
１１３，１１４  櫛歯部
１１５，１１６  歯
１１５−１−１，１１６−１−１  第１の分割歯部
１１５−１−２，１１６−１−２  第２の分割歯部
１１７、１１８  スリット
１３０  ポリイミド樹脂膜
１３１、１３２  配線パターン
１３３−１−１、１３３−１−２、１３４−１−１、１３４−１−２  接点部
１４０  ドータボード
１４１−１、１４１−２  パッド
１４２−１、１４２−２  配線パターン
１５０  マザーボード
１５１−１、１５１−２  パッド
１５２−１、１５２−２  配線パターン
２００  コネクタ装置
２０１  ハウジング
２０２  支持部材
２０３Ｒ、２０３Ｌ  スライダ部材
２０４Ｒ、２０４Ｌ  プッシャ
【図１】
2005011627.tif 000003
【図２】
2005011627.tif 000004
【図３】
2005011627.tif 000005
【図４】
2005011627.tif 000006
【図５】
2005011627.tif 000007